(57)【要約】      （修正有）【課題】流体送達に関する状態情報を提供する。【解決手段】セットアップ画面２３０は、パワーインゼクタに関連するグラフィカルユーザインタフェースに表示され得る。状態メッセージ２６８は、セットアップ画面２３０上の状態メッセージゾーン２６６に表示される。パワーインゼクタの状態が変化すると、セットアップ画面２３０上の状態メッセージゾーン２６６の状態メッセージ２６８は更新される。【選択図】図５
2015013190.tif 000002
【特許請求の範囲】
【請求項１】
明細書に記載の発明。
【発明の詳細な説明】
【技術分野】
【０００１】
（関連出願の参照）
本特許出願は、３５  Ｕ．Ｓ．Ｃ．§１１９（ｅ）のもとで、名称が「ＰＯＷＥＲ  ＩＮＪＥＣＴＯＲ  ＷＩＴＨ  ＳＴＡＴＵＳ  ＭＥＳＳＡＧＩＮＧ」であり、２００７年１１月１９日に出願された、係属中の米国仮特許出願第６０／９８８，８３４号に対する優先権を主張する。
【０００２】
（発明の分野）
本発明は、概して流体を送達する分野に関し、より詳細には、この流体送達に関する状態情報を提供することに関する。
【背景技術】
【０００３】
（背景）
様々な医療処置は、１つまたはそれ以上の流体が患者の中に注入されることを必要とする。医療撮像処置は、しばしば患者の中に場合により食塩水または他の流体と共に造影剤を注入することを伴う。他の医療処置は、治療目的のために患者の中に１つまたはそれ以上の流体を注入することを伴う。パワーインゼクタは、これらの種類の用途に用いられ得る。
【０００４】
パワーインゼクタは、概してパワーヘッドとして一般的に呼ばれているものを含む。１つまたはそれ以上の注射器は、様々な方法で（例えば、分離可能に、後部装填、前部装填、側部装填）パワーヘッドに取り付けられ得る。各注射器は、典型的には注射器プランジャ、ピストン、または類似のものとして特徴づけられ得るものを含む。そのような注射器プランジャの各々は、パワーヘッドの中に組み込まれる適切な注射器プランジャドライバと適切に相互に接続され、その結果、注射器プランジャドライバの動作は、関連する注射器プランジャを軸方向に前進させる。１つの典型的な注射器ドライバは、ねじ切りされたリード（ｔｈｒｅａｄｅｄ  ｌｅａｄ）または駆動ねじに取り付けられるラムの形態である。駆動ねじの１つの回転方向の回転は関連するラムを１つの軸方向に前進させ、一方、駆動ねじの反対の回転方向の回転は関連するラムを反対の軸方向に前進させる。
【発明の概要】
【課題を解決するための手段】
【０００５】
（概要）
本発明の第１の局面は、医療流体送達システムのための動作の方法によって実施される。第１の画面は、医療流体送達システムのグラフィカルユーザインタフェース上に表示され、この第１の画面は、状態メッセージの領域、セグメント、またはゾーンを含む。流体は、医療流体送達システムから（例えば、流体目標に）排出される。複数の状態メッセージは、第１の画面上の状態メッセージゾーンに表示される。これらの状態メッセージの各々は、別々の時間に表示され、（例えば、流体を排出するために用いられているパワーインゼクタの）医療流体送達システムのその時の状態を反映する。
【０００６】
本発明の第２の局面は、医療流体送達システムのための動作の方法によって実施される。第１の画面は、医療流体送達システムのグラフィカルユーザインタフェース上に表示され、この第１の画面は、状態メッセージの領域、セグメント、またはゾーンを含む。流体は、医療流体送達システムから（例えば、流体目標に）排出される。少なくとも１つの状態メッセージは、行うべき次の動作メッセージと共に、第１の画面上の状態メッセージゾーンに表示される。
【０００７】
本発明の第３の局面は、医療流体送達システムのための動作の方法によって実施される。第１の画面は、医療流体送達システムのグラフィカルユーザインタフェース上に表示され、この第１の画面は、状態メッセージの領域、セグメント、またはゾーンを含む。流体は、医療流体送達システムから（例えば、流体目標に）排出される。少なくとも１つの状態メッセージは、第１の画面上の状態メッセージゾーンに表示される。複数の状態メッセージのリスティングは、グラフィカルユーザインタフェース上に選択可能に表示され得る。
【０００８】
本発明の第４の局面は、パワーヘッドと、注射器プランジャドライバと、グラフィカルユーザインタフェースと、制御論理とを含むパワーインゼクタによって実施される。制御論理は、グラフィカルユーザインタフェース上に第１の画面を生成するようにさらに構成され、この場合、この第１の画面は、状態メッセージの領域、セグメント、またはゾーンを含む。制御論理は、第１の画面上のこの同じ状態メッセージゾーンにおいて複数の状態メッセージを表示するようにさらに構成される。これらの状態メッセージの各々は、別々の時間に表示され、パワーインゼクタのその時の状態を反映する。
【０００９】
本発明の第５の局面は、パワーヘッドと、注射器プランジャドライバと、グラフィカルユーザインタフェースと、制御論理とを含むパワーインゼクタによって実施される。制御論理は、グラフィカルユーザインタフェース上に第１の画面を生成するようにさらに構成され、この場合、この第１の画面は、状態メッセージの領域、セグメント、またはゾーンを含む。制御論理は、第１の画面上のこの同じ状態メッセージゾーンにおいて少なくとも１つの状態メッセージと、行うべき次の動作メッセージとを同時に表示するようにさらに構成される。
【００１０】
本発明の第６の局面は、パワーヘッドと、注射器プランジャドライバと、グラフィカルユーザインタフェースと、制御論理とを含むパワーインゼクタによって実施される。制御論理は、グラフィカルユーザインタフェース上に第１の画面を生成するようにさらに構成され、この場合、この第１の画面は、状態メッセージの領域、セグメント、またはゾーンを含む。制御論理は、グラフィカルユーザインタフェース上の対応する状態メッセージに以前に各々表示された複数の状態メッセージのリスティングを選択可能に表示するようにさらに構成される。
【００１１】
本発明の上記の第１の局面〜第６の局面の各々に関係して示される特徴の様々な改良が存在する。さらなる特徴もまた同様に、本発明の第１の局面〜第６の局面の各々に組み込まれ得る。これらの改良および追加の特徴は、第１の局面〜第６の局面の各々に関係して個々にまたは任意の所望の組み合わせで存在し得る。すなわち、論議される以下の特徴の各々は、別に指定されない限り、任意の他の特徴または複数の特徴の組み合わせと共に用いられることを必要とされない。初期概要として、様々な局面の各々は、任意の組み合わせそしてすべての組み合わせにおいて一緒に用いられ得る。
【００１２】
状態メッセージの領域、セグメント、またはゾーンを有する少なくとも１つの画面は、少なくとも１つのグラフィカルユーザインタフェース上に提示される。状態メッセージゾーンを有する任意のそのような画面は、グラフィカルユーザインタフェース上の単一の位置または複数の位置に表示され得る。一実施形態において、状態メッセージゾーンを有する少なくとも１つの画面は、パワーインゼクタに関連するグラフィカルユーザインタフェース（例えば、パワーヘッド上、リモートコンソール上、またはその両方）上に表示される。
【００１３】
グラフィカルユーザインタフェース上の対応する状態メッセージゾーンに表示されている任意の状態メッセージに関係する情報を提供するために、色が用いられ得る。例えば、状態メッセージが対応する状態メッセージゾーンに表示されている背景の色は、状態情報を伝えるために利用され得る。複数の状態メッセージが、あるベースで（例えば、パワーインゼクタの状態の変化に応答して）順次に表示される場合において、これらの状態メッセージの少なくとも一部に関係して種々の色が用いられ得る（例えば、背景色が変化させられ得る）。一実施形態において、対応する状態メッセージゾーンに表示される任意の状態メッセージに関係して第１の色を表示することは正常状態を示し得、対応する状態メッセージゾーンに表示される任意の状態メッセージに関係して第２の色を表示することは警告状態を示し得、対応する状態メッセージゾーンに表示される任意の状態メッセージに関係して第３の色を表示することはエラー状態を示し得る。
【００１４】
第１の画面は、医療流体送達処置またはプロトコルを実行する目的のための任意の適切な画面であり得る。一実施形態において、第１の画面はセットアップ画面の形態である。そのようなセットアップ画面は、１つもしくはそれより多いパラメータであって、その各々が医療流体送達の処置またはプロトコルの実行に寄与する、１つもしくはそれより多いパラメータを入力／編集するために利用され得る。状態メッセージゾーンは、医療流体送達の動作またはプロトコルを実行する目的のためにグラフィカルユーザインタフェース上に提示され得る１つ以上の画面上に含まれ得る。一実施形態において、状態メッセージゾーンは、複数の異なる画面の各々（例えば、セットアップ画面および進行画面の両方）における同じ位置に表示される。
【００１５】
少なくとも１つの状態メッセージは、第１の画面上の状態メッセージゾーンに常時表示され得る。但し、状態メッセージは、医療流体送達システムの状態変化（例えば、流体を送達するために用いられているパワーインゼクタの状態の変化）に基づいて、時あるごとに変更され得る。グラフィカルユーザインタフェース上の対応する状態メッセージゾーンに以前に表示された、時間的に以前の（ｐｒｅｖｉｏｕｓ−ｉｎ−ｔｉｍｅ）メッセージは、リストの形式および任意の適切な方法でグラフィカルユーザインタフェース上に表示され得る。医療流体送達の処置またはプロトコルに関係して生成され、表示された各状態メッセージは、任意の適切な方法で検索され、表示され得る。一実施形態において、状態メッセージゾーンのそばにあるドロップダウンメニューボタンは、任意の適切な方法で起動／選択され、状態メッセージのリスティングを（例えば、逆入力順で）生成し得る。別の実施形態において、グラフィカルユーザインタフェース上の上体メッセージ履歴ボタンまたは類似のものは、任意の適切な方法で起動／選択され、状態メッセージのリスティングを（例えば、逆入力順で）生成し得、この状態メッセージ履歴ボタンは、状態メッセージゾーンの関係する任意の適切な位置（たとえば、状態メッセージゾーンと比較した第１の画面の異なる部分）にあり得る。
【００１６】
対応する状態メッセージゾーンに表示される各状態メッセージは、任意の適切なタイプまたは任意の適切な形式であり得る。一実施形態において、状態メッセージは、テキストの状態メッセージの形式である。別の実施形態において、状態メッセージは、図表状態メッセージ（例えば、アイコン）の形式である。任意の適切なタイプの任意の数の状態メッセージは、任意の所与の状態メッセージゾーンに同時に表示され得る（例えば、１つもしくはそれより多い図表状態メッセージまたはアイコンと共に、単一のテキストの状態メッセージ）。
【００１７】
対応する状態メッセージゾーンに提示される各図表状態メッセージは、任意の適切な方法で、１つもしくはそれより多いタスクへの関連事項を伝え得る（例えば、アイコンの形状によって、省略形をアイコンに関連づけることによって）。各図表状態メッセージは、複数の異なる状態において提示可能にすることによって状態情報を伝え得る。特定の図表状態メッセージは、少なくとも２つの異なる状態おいて提示可能であり得る。特定の図表状態メッセージは、４つの異なる状態おいて提示可能であり得る。図表状態メッセージの代表的な状態は、（例えば、関連するタスクが現在実行されていない）非活動状態と、（例えば、関連するタスクが現在実行されている）活動状態と、（例えば、関連するタスクが完了した）完了状態と、（例えば、関連するタスクが行われたが、例えば、エラー状態が存在するために完了していない）終了状態とを含むが、これらに限定されない。
【００１８】
他の情報は、対応する状態メッセージゾーンに提示され得る。一実施形態において、行うべき次の動作メッセージは、対応する状態メッセージゾーンにおいて状態メッセージと共に表示される。この行うべき次の動作メッセージは、医療流体送達システム（例えば、パワーインゼクタ）によって行われる次のタスクをオペレータに伝え得、オペレータによって行われるべき次の動作を伝え得、またはその両方を行い得る。一実施形態において、行うべき次の動作メッセージは、対応する状態メッセージゾーンに現在表示されている状態メッセージに関する。
【００１９】
流体は、任意の適切な方法で医療流体送達システム（例えば、パワーインゼクタ）から流体目標に排出され得る。一実施形態において、流体は流体目標の中に注入される。任意のそのような流体目標は、任意の適切なサイズ、形状、構成、および／またはタイプであり得る。一実施形態において、流体目標は任意の適切なタイプの患者である（例えば、人間、動物）。
【００２０】
流体排出を提供するように利用され得る任意のパワーインゼクタは、任意の適切なサイズ、形状、構成、および／またはタイプであり得る。任意のそのようなパワーインゼクタは、任意の適切なサイズ、形状、構成、および／またはタイプの１つもしくはそれより多い注射器プランジャドライバを利用し得、そのような注射器プランジャドライバの各々は、少なくとも二方向の動きが可能であり（例えば、流体を排出するための第１の方向の動き、後の流体排出動作のために流体の充填を行うかまたは後の流体排出動作のための位置に戻るための第２の方向の動き）、そのような注射器プランジャドライバの各々は、少なくとも１つの方向に注射器プランジャを前進させることを可能にするように（例えば、流体を排出するために）、任意の適切な方法で（例えば、機械的接触によって、適切な結合（機械的または別の方法）によって）注射器プランジャドライバの対応する注射器プランジャと相互に作用し得る。任意そのようなパワーインゼクタは、任意の適切な用途に用いられ得、該用途において、任意の適切な医療用途（例えば、コンピュータ断層撮影法またはＣＴ撮影法、磁気共鳴映像またはＭＲＩ、ＳＰＥＣＴ撮影法、ＰＥＴ撮影法、Ｘ線撮影法、血管撮影法、光学撮影法、超音波撮影法）を含むがこれらに限定されない、１つもしくはそれより多い流体の送達が望まれる。任意のそのようなパワーインゼクタは、適切な撮影システム（例えば、ＣＴスキャナ）などの任意の構成要素または複数の構成要素の組み合わせと結合して用いられ得る。例えば、情報（例えば、スキャン遅延情報、注入開始信号、注入速度）は、任意のそのようなパワーインゼクタと１つもしくはそれより多い他の構成要素との間に伝えられ得る。任意の適切な数の注射器は任意の適切な方法（例えば、分離可能に、前部装填、後部装填、側部装填）で任意のそのようなパワーインゼクタに一体化され得、任意の適切な流体は任意のそのようなパワーインゼクタの所与の注射器から排出され得（例えば、造影剤、放射性医薬品、食塩水、およびこれらの任意の組み合わせ）、そして任意の適切な流体は任意の適切な方法で（例えば、順次に、同時に）複数の注射器パワーインゼクタ構成から排出され得、またはこれらの組み合わせである。一実施形態において、パワーインゼクタの動作によって注射器から排出される流体は導管に向けられ、この導管は、任意の適切な方法で注射器と流体的に相互に接続され、所望の場所に流体を向ける（例えば、注入のために患者に）。一実施形態において、パワーインゼクタの動作によって注射器から排出される流体は、導管の中に向けられ、この導管は、任意の適切な方法で注射器に相互に接続され、所望の場所（例えば、患者）に流体を向ける。
例えば、本発明は、以下の項目を提供する。
（項目１）
医療流体送達システムの動作の方法であって、該方法は、
該医療流体送達システムのグラフィカルユーザインタフェース上に第１の画面を表示するステップであって、該第１の画面は状態メッセージゾーンを含む、ステップと、
該第１の画面上の該状態メッセージゾーンに複数の状態メッセージを表示するステップであって、該複数の状態メッセージの各々は、別々の時間に表示され、該医療流体送達システムのその時の状態を反映する、ステップと、
該医療流体送達システムから医療流体を排出するステップと
を包含する、方法。
（項目２）
医療流体送達システムの動作の方法であって、該方法は、
該医療流体送達システムのグラフィカルユーザインタフェース上に第１の画面を表示するステップであって、該第１の画面は状態メッセージゾーンを含む、ステップと、
該第１の画面上の該状態メッセージゾーンに状態メッセージを表示するステップと、
該状態メッセージゾーンに次に行うべき動作メッセージを表示するステップであって、該次に行うべき動作メッセージおよびそれに対応する状態メッセージは同時に表示される、ステップと、
該医療流体送達システムから医療流体を排出するステップと
を包含する、方法。
（項目３）
医療流体送達システムの動作の方法であって、該方法は、
該医療流体送達システムのグラフィカルユーザインタフェース上に第１の画面を表示するステップであって、該第１の画面は状態メッセージゾーンを含む、ステップと、
該第１の画面上の該状態メッセージゾーンに状態メッセージを表示するステップと、
複数の状態メッセージのリスティングを選択可能に表示するステップと、
該医療流体送達システムから医療流体を排出するステップと
を包含する、方法。
（項目４）
上記第１の画面上の上記状態メッセージゾーンに複数の状態メッセージを表示するステップであって、該複数の状態メッセージの各々は、別々の時間に表示され、上記医療流体送達システムのその時の状態を反映する、ステップをさらに包含する、項目２〜３のいずれか１項に記載の方法。
（項目５）
上記複数の状態メッセージのうちの少なくとも一部のための上記表示するステップは、異なる色を利用する、項目１および４のいずれか１項に記載の方法。
（項目６）
上記状態メッセージの各々であって、それに対応する上記状態メッセージゾーンに表示される、状態メッセージの各々は、第１の色と、第２の色と、第３の色とから成る群から選択される色を利用する、項目１〜５のいずれか１項に記載の方法。
（項目７）
上記第１の色は正常状態を示し、上記第２の色は警告状態を示し、上記第３の色はエラー状態を示す、項目６に記載の方法。
（項目８）
上記状態メッセージの各々であって、それに対応する上記状態メッセージゾーンに表示される、状態メッセージの各々は、複数の異なる背景色を利用する、項目１〜７のいずれか１項に記載の方法。
（項目９）
上記第１の画面は、セットアップ画面を備えている、項目１〜８のいずれか１項に記載の方法。
（項目１０）
上記セットアップ画面は、複数のパラメータであって、その各々が上記排出するステップの実行の一助となる、複数のパラメータの入力に適応する、項目９に記載の方法。
（項目１１）
上記グラフィカルユーザインタフェース上に複数の画面を表示するステップをさらに包含し、該複数の画面は上記第１の画面を備え、該複数の画面の該画面の各々はそれ自体の状態メッセージゾーンを備えている、項目１〜１０のいずれか１項に記載の方法。
（項目１２）
上記状態メッセージゾーンは、上記複数の画面の各々の共通の位置に現われる、項目１１に記載の方法。
（項目１３）
少なくとも１つの上記状態メッセージは、上記状態メッセージゾーンに常時表示される、項目１〜１２のいずれか１項に記載の方法。
（項目１４）
ドロップダウンメニューウィンドウをさらに備え、該ドロップダウンメニューウィンドウは、上記状態メッセージの各々であって、上記排出するステップを包含する流体送達処置に関係して、該状態メッセージに対応する上記状態メッセージゾーンに表示された、該状態メッセージの各々をリスティングする、項目１〜１３のいずれか１項に記載の方法。（項目１５）
上記状態メッセージの各々のリスティングを表示するステップをさらに備え、該状態メッセージの各々は、任意の上記排出するステップを包含する医療流体送達処置に関係して、該状態メッセージに対応する上記状態メッセージゾーンに表示されている、項目１〜１３のいずれか１項に記載の方法。
（項目１６）
上記医療流体送達システムはパワーヘッドと上記グラフィカルユーザインタフェースとを順に備えているパワーインゼクタを備えており、上記状態メッセージの各々であって、それに対応する上記状態メッセージゾーンに表示される、状態メッセージの各々は、該パワーインゼクタの電源が投入され該パワーヘッドにどの注射器も取り付けられていないことと、少なくとも１つの注射器が該パワーヘッドに取り付けられていることと、該パワーヘッドが上方にチルトされた位置にあることと、空気抜き動作が実行中であることと、空気抜き動作が完了したことと、該パワーヘッドが下方にチルトされた位置にあることと、該パワーヘッドが使用可能にされる準備ができていることと、該パワーインゼクタが使用可能にされることと、開存性チェック注入が実行中であることと、開存性チェックが完了したことと、ドリップモード注入が実行中であることと、ドリップモード注入が終了したことと、タイミングボーラス注入が実行中であることと、タイミングボーラス注入が完了したことと、注入が実行中であることと、注入が中断したことと、注入が完了したことと、各注射器が取り外されたことと、該パワーインゼクタが故障したこととから成る群を示し、該群から選択されるメッセージを伝える、項目１〜１５のいずれか１項に記載の方法。
（項目１７）
上記状態メッセージの各々であって、それに対応する上記状態メッセージゾーンに表示される、状態メッセージの各々は、テキストの状態メッセージを含む、項目１〜１６のいずれか１項に記載の方法。
（項目１８）
上記状態メッセージの各々であって、それに対応する上記状態メッセージゾーンに表示される、状態メッセージの各々は、少なくとも１つの図表の状態メッセージを含む、項目１〜１６のいずれか１項に記載の方法。
（項目１９）
上記状態メッセージの各々であって、それに対応する上記状態メッセージゾーンに表示される、状態メッセージの各々は、少なくとも１つのテキストの状態メッセージと、少なくとも１つの図表の状態メッセージとを含む、項目１〜１６のいずれか１項に記載の方法。
（項目２０）
上記状態メッセージの各々であって、それに対応する上記状態メッセージゾーンに表示される、状態メッセージの各々は、１つのテキストの状態メッセージと、少なくとも１つの図表の状態メッセージとを含む、項目１〜１６のいずれか１項に記載の方法。
（項目２１）
上記状態メッセージの各々であって、それに対応する上記状態メッセージゾーンに表示される、状態メッセージの各々は、１つのテキストの状態メッセージと、少なくとも２つの図表の状態メッセージとを含む、項目１〜１６のいずれか１項に記載の方法。
（項目２２）
上記図表の状態メッセージの各々は、別個のアイコンを含む、項目１８〜２１のいずれか１項に記載の方法。
（項目２３）
上記アイコンの各々は、少なくとも２つの異なる状態で提示可能である、項目２２に記載の方法。
（項目２４）
上記アイコンの各々は、少なくとも３つの異なる状態で提示可能である、項目２２に記載の方法。
（項目２５）
上記アイコンの各々は、少なくとも４つの異なる状態で提示可能である、項目２２に記載の方法。
（項目２６）
上記状態の各々は、非活動状態と、活動状態と、完了状態と、早すぎた終了状態とから成る群から選択される、項目２２〜２５のいずれか１項に記載の方法。
（項目２７）
次に行うべき動作メッセージであって、それに対応する上記状態メッセージゾーンに、次に行うべき動作メッセージを表示するステップをさらに包含し、該次に行うべき動作メッセージおよびそれに対応する上記状態メッセージは該対応する該状態メッセージゾーンに同時に表示される、項目１および３〜２３のいずれか１項に記載の方法。
（項目２８）
パワーヘッドと、
注射器プランジャドライバと、
グラフィカルユーザインタフェースと、
該グラフィカルユーザインタフェース上に第１の画面を生成するように構成される制御論理であって、該第１の画面は状態メッセージゾーンを含み、該制御論理は該第１の画面上の該状態メッセージゾーンに複数の状態メッセージを表示するようにさらに構成され、該複数の状態メッセージの各々は、別々の時間に表示され、パワーインゼクタのその時の状態を示す、制御論理と
を備えている、パワーインゼクタ。
（項目２９）
パワーヘッドと、
注射器プランジャドライバと、
グラフィカルユーザインタフェースと、
該グラフィカルユーザインタフェース上に第１の画面を生成するように構成される制御論理であって、該第１の画面は状態メッセージゾーンを含み、該制御論理は該状態メッセージゾーンに状態メッセージと次に行うべきメッセージとを同時に表示するようにさらに構成される、制御論理と
を備えている、パワーインゼクタ。
（項目３０）
パワーヘッドと、
注射器プランジャドライバと、
グラフィカルユーザインタフェースと、
該グラフィカルユーザインタフェース上に第１の画面を生成するように構成される制御論理であって、該第１の画面は状態メッセージゾーンを含み、該制御論理は該状態メッセージゾーンに状態メッセージを表示し、かつ対応する該状態メッセージゾーンに複数の状態メッセージの各々が以前に表示された該複数の状態メッセージのリスティングを選択可能に表示するようにさらに構成される、制御論理と
を備えている、パワーインゼクタ。
（項目３１）
上記制御論理は、上記第１の画面上の上記状態メッセージゾーンに複数の状態メッセージを表示するようにさらに構成され、該複数の状態メッセージの各々は、別々の時間に表示され、パワーインゼクタのその時の状態を示す、項目２８〜２９のいずれか１項に記載のパワーインゼクタ。
（項目３２）
上記制御論理は、異なる色を利用して上記複数の状態メッセージの少なくとも一部を表示するように構成される、項目２８および３１のいずれか１項に記載のパワーインゼクタ。
（項目３３）
上記制御論理は、第１の色と、第２の色と、第３の色とから成る群から選択される色を利用して、上記状態メッセージの各々であって、それに対応する上記状態メッセージゾーンに、状態メッセージの各々を表示するように構成される、項目２８〜３２のいずれか１項に記載のパワーインゼクタ。
（項目３４）
上記第１の色は正常状態を示し、上記第２の色は警告状態を示し、上記第３の色はエラー状態を示す、項目３３に記載のパワーインゼクタ。
（項目３５）
上記制御論理は、上記状態メッセージの各々であって、それに対応する該状態メッセージゾーンに表示される、状態メッセージの各々に関係して複数の異なる背景色のうちの１つを利用するように構成される、項目２８〜３４のいずれか１項に記載のパワーインゼクタ。
（項目３６）
上記第１の画面は、セットアップ画面を含む、項目２８〜３５のいずれか１項に記載のパワーインゼクタ。
（項目３７）
上記セットアップ画面は、複数のパラメータであって、その各々が医療流体送達処置の実行に寄与する、複数のパラメータの入力に適応する、項目３５に記載のパワーインゼクタ。
（項目３８）
上記制御論理は上記グラフィカルユーザインタフェース上に複数の画面を表示するようにさらに構成され、該複数の画面は上記第１の画面を含み、該画面の各々はそれ自体の上記状態メッセージゾーンを含む、項目２８〜３７のいずれか１項に記載のパワーインゼクタ。
（項目３９）
上記状態メッセージゾーンは、上記複数の画面の各々上の共通の位置に現れる、項目３８に記載のパワーインゼクタ。
（項目４０）
少なくとも１つの上記状態メッセージは、上記第１の画面上の上記状態メッセージゾーンに常時表示される、項目２８〜３９のいずれか１項に記載のパワーインゼクタ。
（項目４１）
上記制御論理は、ドロップダウンメニューウィンドウに表示するようにさらに構成され、該ドロップダウンメニューウィンドウは、上記状態メッセージの各々であって、それに対応する上記状態メッセージゾーンに、医療流体送達処置に関係して、状態メッセージの各々をリスティングする、項目２８〜４０のいずれか１項に記載のパワーインゼクタ。
（項目４２）
上記制御論理は、複数の状態メッセージのリスティングを選択可能にも表示するようにさらに構成され、該複数の状態メッセージは、それに対応する上記状態メッセージゾーンに、医療流体送達処置に関係して、該複数の状態メッセージの各々が以前に表示された、項目２８、２９、および３１〜４０のいずれか１項に記載のパワーインゼクタ。
（項目４３）
上記状態メッセージの各々であって、それに対応する上記状態メッセージゾーンに表示される、状態メッセージの各々は、該パワーインゼクタの電源が投入され該パワーヘッドにどの注射器も取り付けられていないことと、少なくとも１つの注射器が該パワーヘッドに取り付けられていることと、該パワーヘッドが上方にチルトされた位置にあることと、空気抜き動作が実行中であることと、空気抜き動作が完了したことと、該パワーヘッドが下方にチルトされた位置にあることと、該パワーヘッドが使用可能にされる準備ができていることと、該パワーインゼクタが使用可能にされることと、開存性チェック注入が実行中であることと、開存性チェックが完了したことと、ドリップモード注入が実行中であることと、ドリップモード注入が終了したことと、タイミングボーラス注入が実行中であることと、タイミングボーラス注入が完了したことと、注入が実行中であることと、注入が中断したことと、注入が停止したことと、注入が完了したことと、各注射器が該パワーヘッドから取り外されたことと、「各注射器プランジャドライバを定位置に戻す」動作が実行中であることと、該パワーインゼクタが構成される若干の注射器を受容する準備を該パワーインゼクタが完了していることとから成る群を示し、該群から選択されるメッセージを伝える、項目２８〜４２のいずれか１項に記載のパワーインゼクタ。
（項目４４）
上記状態メッセージの各々であって、それに対応する上記状態メッセージゾーンに表示される、状態メッセージの各々は、テキストの状態メッセージを含む、項目２８〜４３のいずれか１項に記載のパワーインゼクタ。
（項目４５）
上記状態メッセージの各々であって、それに対応する上記状態メッセージゾーンに表示される、状態メッセージの各々は、少なくとも１つの図表の状態メッセージを含む、項目２８〜４３のいずれか１項に記載のパワーインゼクタ。
（項目４６）
上記状態メッセージの各々であって、それに対応する上記状態メッセージゾーンに表示される、状態メッセージの各々は、少なくとも１つのテキストの状態メッセージと、少なくとも１つの図表の状態メッセージとを含む、項目２８〜４３のいずれか１項に記載のパワーインゼクタ。
（項目４７）
上記状態メッセージの各々であって、それに対応する上記状態メッセージゾーンに表示される、状態メッセージの各々は、１つのテキストの状態メッセージと、少なくとも１つの図表の状態メッセージとを含む、項目２８〜４３のいずれか１項に記載のパワーインゼクタ。
（項目４８）
上記状態メッセージの各々であって、それに対応する上記状態メッセージゾーンに表示される、状態メッセージの各々は、１つのテキストの状態メッセージと、少なくとも２つの図表の状態メッセージとを含む、項目２８〜４３のいずれか１項に記載のパワーインゼクタ。
（項目４９）
上記図表の状態メッセージの各々は、別個のアイコンを含む、項目４５〜４８のいずれか１項に記載のパワーインゼクタ。
（項目５０）
上記アイコンの各々は、少なくとも２つの異なる状態で提示可能である、項目４９に記載のパワーインゼクタ。
（項目５１）
上記アイコンの各々は、少なくとも３つの異なる状態で提示可能である、項目４９に記載のパワーインゼクタ。
（項目５２）
上記アイコンの各々は、少なくとも４つの異なる状態で提示可能である、項目４９に記載のパワーインゼクタ。
（項目５３）
上記状態の各々は、非活動状態と、活動状態と、完了状態と、早すぎた終了状態とから成る群から選択される、項目４９〜５２のいずれか１項に記載のパワーインゼクタ。
（項目５４）
上記制御論理は、上記状態メッセージと次に行うべき動作メッセージとをそれらに対応する上記状態メッセージゾーンに同時に表示するようにさらに構成される、項目２８および３０〜５３のいずれか１項に記載のパワーインゼクタ。
【図面の簡単な説明】
【００２１】
【図１】図１は、パワーインゼクタの一実施形態の概略図である。
【図２Ａ】図２Ａは、ポータブルスタンドマウントのデュアルヘッドパワーインゼクタの一実施形態の斜視図である。
【図２Ｂ】図２Ｂは、図２Ａのパワーインゼクタによって用いられるパワーヘッドの、拡大され部分的に分解された斜視図である。
【図２Ｃ】図２Ｃは、図２Ａのパワーインゼクタによって用いられる注射器プランジャ駆動アセンブリの一実施形態の概略図である。
【図３】図３は、図１および図２Ａ〜図２Ｃのパワーインゼクタによって用いられ得る制御論理の一実施形態の概略図である。
【図４】図４は、図３の制御論理によって用いられ得る状態メッセージングプロトコルの一実施形態である。
【図５】図５は、パワーインゼクタグラフィカルユーザインタフェースのためのセットアップ画面の一実施形態であり、該セットアップ画面は、状態メッセージゾーンを組み込む。
【図６】図６は、インゼクタ状態アイコンのための４つの異なる代表的な状態を表示する。
【図７】図７は、図５のセットアップ画面の変形であり、該セットアップ画面は、以前に表示されたメッセージのリスティングを生成するドロップダウンメニューボタンを含む。
【図８】図８は、図７のドロップダウンメニューボタンを起動するとき表示され得る状態メッセージの代表的なリスティングである。
【図９】図９は、パワーインゼクタグラフィカルユーザインタフェースのための進行画面の一実施形態であり、該進行画面は状態メッセージゾーンを組み込む。
【図１０】図１０は、行うべき次の動作メッセージも表示する状態メッセージゾーンの変形である。
【発明を実施するための形態】
【００２２】
（詳細な説明）
図１は、パワーヘッド１２を有するパワーインゼクタ１０の一実施形態の概略図を提示する。１つもしくはそれより多いグラフィカルユーザインタフェースまたはＧＵＩ  １１は、パワーヘッド１２に関連づけられ得る。各ＧＵＩ  １１は、１）任意の適切なサイズ、形状、構成、および／またはタイプであり得、２）任意の適切な方法でパワーヘッド１２と動作可能に相互に接続され得、３）任意の適切な場所に配置され得、４）次の機能のうちの１つまたは任意の組み合わせを提供するように構成され得る。すなわち、パワーインゼクタ１０の動作の１つもしくはそれより多い局面を制御すること、パワーインゼクタ１０の動作に関連する１つもしくはそれより多いパラメータを入力／編集すること、および（例えば、パワーインゼクタ１０の動作に関連する）適切な情報を表示すること、または５）上記のことの任意の組み合わせである。任意の適切な数のＧＵＩ  １１が利用され得る。一実施形態において、パワーインゼクタ１０は、ＧＵＩ  １１を含み、該ＧＵＩ  １１は、パワーヘッド１２から分離しているがパワーヘッド１２と通信するコンソールによって組み込まれる。別の実施形態において、パワーインゼクタ１０は、パワーヘッド１２の一部であるＧＵＩ  １１を含む。さらに別の実施形態において、パワーインゼクタ１０はパワーヘッド１２と通信する分離したコンソール上の１つのＧＵＩ  １１を利用し、また、パワーヘッド１２上にある別のＧＵＩ  １１を利用する。各ＧＵＩ  １１は同じ機能または複数の機能のセットを提供し得るか、または複数のＧＵＩ  １１はそれぞれの機能に関係する少なくとも一部の点において異なり得る。
【００２３】
注射器２８は、このパワーヘッド１２に取り付けられ得、パワーインゼクタ１０の一部であると考えられ得る。一部の注入処置は、比較的高い圧力が注射器２８内に生成されるという結果になり得る。この点に関して、圧力ジャケット２６内に注射器２８を配置することが望まれ得る。圧力ジャケット２６は典型的にはパワーヘッド１２に取り付けられ、それに続いて、圧力ジャケット２６内に注射器２８を配置する。同じ圧力ジャケット２６は、典型的にはパワーヘッド１２に取り付けられたままである。なぜなら、複数の注入処置のために、様々な注射器２８が圧力ジャケット２６内に配置され、圧力ジャケット２６から取り外されるからである。パワーインゼクタ１０が低圧力注入のために構成され／利用される場合、パワーインゼクタ１０は圧力ジャケット２６を除去し得る。いずれの場合においても、注射器２８から排出される流体は導管３８の中に向けられ得、導管３８は、任意の適切なサイズ、形状、構成、および／またはタイプであり得、任意の適切な方法で注射器２８と流体的に相互に接続され得、任意の適切な場所（例えば、患者）に流体を向け得る。
【００２４】
パワーヘッド１２は注射器プランジャ駆動アセンブリまたは注射器プランジャドライバ１４を含み、該注射器プランジャ駆動アセンブリまたは注射器プランジャドライバは、注射器２８と相互に作用（例えば、インタフェース）し、注射器２８から流体を排出する。この注射器プランジャ駆動アセンブリ１４は、駆動出力１８（例えば、回転可能な駆動ねじ）を動力で動かす駆動源１６（例えば、適切なサイズ、形状、構成、および／またはタイプのモータ、オプションの伝動装置など）を含む。ラム２０は、駆動出力１８によって適切な経路に沿って（例えば、軸方向に）前進させられ得る。ラム２０はカプラ２２を含み得、カプラ２２は以下に論議される方法で注射器２８の対応する部分とインタフェースするかまたは相互に作用する。
【００２５】
注射器２８はプランジャまたはピストン３２を含み、プランジャまたはピストン３２は、注射器バレル３０内に可動に配置される（例えば、両方向に向かう矢印Ｂと一致する軸に沿った軸方向の往復運動のために）。プランジャ３２はカプラ３４を含み得る。この注射器プランジャカプラ３４は、ラムカプラ２２とインタフェースするかまたは相互に接続し得、注射器プランジャ駆動アセンブリ１４が注射器バレル３０内に注射器プランジャ３２を引き込むことを可能にし得る。注射器プランジャカプラ３４はシャフト３６ａの形態であり得、シャフト３６ａはヘッドまたはボタン３６ｂと共に注射器プランジャ３２の本体から延びる。しかしながら、注射器プランジャカプラ３４は、任意の適切なサイズ、形状、構成、および／またはタイプであり得る。
【００２６】
概して、注射器プランジャ駆動アセンブリ１４は、少なくとも一方向に注射器プランジャ３２を動かすかまたは前進させる（例えば、対応する注射器２８から流体を排出する）ことを可能にするように、任意の適切な方法で（例えば、機械的接触によって、適切な結合（機械的または別の結合）によって）パワーインゼクタ１０の各注射器プランジャ３２と相互に作用し得る。すなわち、注射器プランジャ駆動アセンブリ１４は二方向動作が可能であり得るが（例えば、同じ駆動源１６の動作によって）、パワーインゼクタ１０は、注射器プランジャ駆動アセンブリ１４の動作がパワーインゼクタ１０によって用いられている各注射器プランジャ３２を実際上一方向のみに動かすように構成され得る。しかしながら、注射器プランジャ駆動アセンブリ１４は、各そのような注射器プランジャ３２を２つの異なる方向の各々（例えば、共通の軸方向経路に沿った異なる方向）に動かすことが可能であるように、パワーインゼクタ１０によって用いられている各注射器プランジャ３２と相互に作用するように構成され得る。
【００２７】
注射器プランジャ３２の引き込みは、その後の注入または排出のために注射器バレル３０の中への流体の充填に適応させるために利用され得るか、その後の注入または排出のために注射器バレル３０の中に実際に流体を引き寄せるために利用され得るか、または任意の他の適切な目的のために利用され得る。特定の構成は、注射器プランジャ駆動アセンブリ１４が注射器プランジャ３２を引き込むことができることを必要としない場合があり、この場合、ラムカプラ２２および注射器プランジャ３４は必要ではない場合がある。この場合、注射器プランジャ駆動アセンブリ１４は、別の流体送達動作を実行する目的のために（例えば、別の充填済み注射器２８が取り付けられた後に）、引き込まれ得る。ラムカプラ２２および注射器プランジャ３４が利用されるときでさえ、これらの要素は、ラム２０が注射器プランジャ３２を前進させ、注射器２８から流体を排出するとき、結合され得るか、または結合されない場合がある（例えば、ラム２０は注射器プランジャカプラ３４または注射器プランジャ３２の近位端を単に「プッシュオン」し得る）ようにあり得る。任意の適切な寸法または複数の寸法の組み合わせにおける任意の単一の動作または複数の動作の組み合わせは、ラムカプラ２２および注射器プランジャカプラ３４を結合状態もしくは結合条件に配置するか、ラムカプラ２２および注射器プランジャカプラ３４を結合しない状態または結合しない条件に配置するか、またはその両方ために用いられ得る。
【００２８】
注射器２８は、任意の適切な方法でパワーヘッド１２に取り付けられ得る。例えば、注射器２８は、パワーヘッド１２に直接に取り付けられるように構成され得る。例示される実施形態において、ハウジング２４は、パワーヘッド１２に適切に取り付けられ、注射器２８とパワーヘッド１２との間のインタフェースを提供する。このハウジング２４は、１つもしくはそれより多い構成の注射器２８が取り付けられ得るアダプタの形態であり得、この場合、注射器２８に対する少なくとも１つの構成は、そのようないかなるアダプタも用いることなく、パワーヘッド１２に直接に取り付けられ得る。ハウジング２４はまた、１つもしくはそれより多い構成の注射器２８が取り付けられ得るフェースプレートの形態であり得る。この場合、注射器２８をパワーヘッド１２に取り付けるためにフェースプレートが必要であり、注射器２８は、フェースプレートなしにパワーヘッド１２に取り付けられない場合があり得る。圧力ジャケット２６が用いられているとき、圧力ジャケット２６は、注射器２８に関係して本明細書において論議される様々な方法でパワーヘッド１２に取り付けられ得、注射器２８は、次いでその後に圧力ジャケット２６に取り付けられる。
【００２９】
注射器２８を取り付けるとき、ハウジング２４は、パワーヘッド１２に対して固定された位置に取り付けられ得、そして固定された位置のままであり得る。別のオプションは、ハウジング２４とパワーヘッド１２とを可動に相互に接続し、注射器２８を取り付けるように適応することである。例えば、ハウジング２４は、両方向に向かう矢印Ａを含む平面内を動き得、ラムカプラ２２と注射器プランジャカプラ３４との間における１つもしくはそれより多い結合した状態または条件、および結合しない状態または条件を提供し得る。
【００３０】
１つの特定のパワーインゼクタ構成は、図２Ａに例示され、参照数字４０によって識別され、そして少なくともおよそ図１のパワーインゼクタ１０に従う。パワーインゼクタ４０は、ポータブルスタンド４８に取り付けられたパワーヘッド５０を含む。パワーインゼクタ４０のための一対の注射器８６ａ、８６ｂは、パワーヘッド５０に取り付けられる。流体は、パワーインゼクタ４０の動作中に注射器８６ａ、８６ｂから排出され得る。
【００３１】
ポータブルスタンド４８は、任意の適切なサイズ、形状、構成、および／またはタイプであり得る。車輪、ローラ、キャスタまたは類似のものが、スタンド４８をポータブルにするために利用され得る。パワーヘッド５０は、ポータブルスタンド４８に対して固定された位置に維持され得る。しかしながら、パワーヘッド５０の位置が少なくともある方法でポータブルスタンド４８に対して調整可能であることが望まれ得る。例えば、注射器８６ａ、８６ｂのうちの１つもしくはそれより多い中に流体を充填するとき、ポータブルスタンド４８に対して１つの位置にパワーヘッド５０を有すること、および注入処置の実行のためにポータブルスタンド４８に対して異なる位置にパワーヘッド５０を有することが望まれ得る。この点において、パワーヘッド５０は、任意の適切な方法でポータブルスタンド４８に可動に相互に接続され得る（例えば、パワーヘッド５０は少なくとも特定の動作範囲にわたって旋回され得、その後望ましい位置に維持され得るように）。
【００３２】
パワーヘッド５０が流体を提供する任意の適切な方法で支持され得ることは理解されるべきである。例えば、パワーヘッド５０は、ポータブル構造に取り付けられる代わりに、サポートアセンブリと相互に接続され得、該サポートアセンブリは同様に適切な構造（例えば、天井、壁、床）に取り付けられる。パワーヘッド５０のための任意のサポートアセンブリは、少なくとも一部の箇所において位置的に調整可能であり得る（例えば、１つもしくはそれより多い支持部であって、もう一つの他の支持部に対して再配置され得る、支持部を有することによって）か、または固定された位置に維持され得る。さらに、パワーヘッド５０は、固定された位置に維持されるか、またはサポートアセンブリに対して調整可能であることのいずれかであるように、任意のそのようなサポートアセンブリに一体化され得る。
【００３３】
パワーヘッド５０は、グラフィカルユーザインタフェースまたはＧＵＩ  ５２を含む。このＧＵＩ  ５２は、以下の機能のうちの１つまたは以下の複数の機能の任意の組み合わせを提供するように構成され得る。すなわち、パワーインゼクタ４０の動作の１つもしくはそれより多い局面を制御すること、パワーインゼクタ４０の動作に関連する１つもしくはそれより多いパラメータを入力／編集すること、および適切な情報を表示すること（例えば、パワーインゼクタ４０の動作に関連する情報）である。パワーインゼクタ４０はまた、コンソール４２とパワーパック４６とを含み得、コンソール４２およびパワーパック４６は各々、任意の適切な方法で（例えば、１つもしくはそれより多いケーブルを介して）、パワーヘッド５０と通信し得るか、診察室もしくは任意の他の場所においてテーブルに配置され得るかもしくは電子機器ラックに取り付けられ得るか、またはその両方であり得る。パワーパック４６は、以下のもののうちの１つもしくはそれ以上を任意の適切な組み合わせで含み得る。すなわち、インゼクタ４０用電源、コンソール４２とパワーヘッド５０との間の通信を提供するインタフェース回路、リモートコンソール、リモートハンドまたはフット制御スイッチなどのリモートユニットにパワーインゼクタ４０を接続することを可能にする回路、または他の相手先商標製造会社（ＯＥＭ）のリモートコントロール接続部（例えば、パワーインゼクタ４０の動作が撮像システムのｘ線露出と同期することを可能にする）、および任意の他の適切な構成要素である。コンソール４２は、タッチスクリーンディスプレイ４４を含み得、タッチスクリーンディスプレイ４４は、同様に以下の機能のうちの１つもしくはそれ以上を任意の適切な組み合わせで提供し得る。すなわち、オペレータがパワーインゼクタ４０の動作の１つもしくはそれより多い局面を遠隔制御することを可能にすること、オペレータがパワーインゼクタ４０の動作に関連する１つもしくはそれより多いパラメータを入力／編集することを可能にすること、オペレータがパワーインゼクタ４０の自動化動作のプログラム（これは、後にオペレータによる開始時にパワーインゼクタ４０によって自動的に実行され得る）を指定および格納することを可能にすること、およびパワーインゼクタ４０に関係し、パワーインゼクタ４０の動作の任意の局面を含む任意の適切な情報を表示することである。
【００３４】
パワーヘッド５０との注射器８６ａ、８６ｂの一体化に関する様々な細部は、図２Ｂに提示される。注射器８６ａ、８６ｂの各々は、同じ一般的な構成要素を含む。注射器８６ａは、注射器バレル８８ａ内に可動に配置されるプランジャまたはピストン９０ａを含む。パワーヘッド５０の動作によって軸１００ａ（図２Ａ）に沿ったプランジャ９０ａの動きは、注射器バレル８８ａ内から注射器８６ａのノズル８９ａを通って流体を排出する。適切な導管（図示されていない）は、典型的には、任意の適切な方法でノズル８９ａに流体的に相互に接続され、所望の場所（例えば、患者）に流体を向ける。同様に、注射器８６ｂは、注射器バレル８８ｂ内に可動に配置されるプランジャまたはピストン９０ｂを含む。パワーヘッド５０の動作による軸１００ｂ（図２Ａ）に沿ったプランジャ９０ｂの動きは、注射器バレル８８ｂ内から注射器８６ｂのノズル８９ｂを通って流体を排出する。適切な導管（図示されていない）は、典型的には、任意の適切な方法でノズル８９ｂに流体的に相互に接続され、所望の場所（例えば、患者）に流体を向ける。
【００３５】
注射器８６ａは、中間フェースプレート１０２ａを介してパワーヘッド５０と相互に接続される。このフェースプレート１０２ａは、クレードル１０４を含み、クレードル１０４は、注射器バレル８８ａの少なくとも一部を支持し、任意の追加の機能または複数の機能の組み合わせを提供し／それに適応し得る。マウンティング８２ａは、フェースプレート１０２ａとインタフェースするために、パワーヘッド５０に配置され、パワーヘッド５０に対して固定される。注射器８６ａのための注射器プランジャ駆動アセンブリまたは注射器プランジャドライバ５６の各部分であるラム７４のラムカプラ７６は、パワーヘッド５０に取り付けられるとき、フェースプレート１０２ａの近くに位置を決められる。注射器プランジャ駆動アセンブリ５６に関する詳細は、図２Ｃに関係してより詳細に以下に論議される。概して、ラムカプラ７６は、注射器８６ａの注射器プランジャ９０ａに結合され得、ラムカプラ７６およびラム７４は次いで、パワーヘッド５０に対して動かされ、軸１００ａ（図２Ａ）に沿って注射器プランジャ９０ａを動かし得る。ラムカプラ７６が、注射器プランジャ９０ａを動かして、注射器８６ａのノズル８９ａを通って流体を排出するとき、ラムカプラ７６は、注射器プランジャ９０ａと係合するが、実際には結合しない場合があり得る。
【００３６】
フェースプレート１０２ａは、少なくともおよそ、軸１００ａ、１００ｂに直交する平面内において動かされ得（それぞれ、注射器プランジャ９０ａ、９０ｂの動きに関連し、図２Ａに例示される）、軸１００ａ、１００ｂの両方とも、パワーヘッド５０上のフェースプレート１０２ａのマウンティング８２ａにフェースプレート１０２ａを取り付け、パワーヘッド５０上のフェースプレート１０２ａのマウンティング８２ａからフェースプレート１０２ａを取り外し得る。フェースプレート１０２ａは、パワーヘッド５０の注射器プランジャ９０ａに対応するラムカプラ７６に注射器プランジャ９０ａを結合するために用いられ得る。この点において、フェースプレート１０２ａは、一対のハンドル１０６ａを含む。概して、そして注射器８６がフェースプレート１０２ａ内に最初に位置を決められると、ハンドル１０６ａは、少なくともおよそ、軸１００ａ、１００ｂに直交する平面内において注射器８６ａを動かし／平行移動させるように同様に動かされ得る（それぞれ、注射器プランジャ９０ａ、９０ｂの動きに関連し、図２Ａに例示される）。ハンドル１０６ａを１つの位置に動かすことは、少なくともおよそ下方に注射器８６ａを動かし／平行移動させ（フェースプレート１０２ａに対して）、注射器８６ａの注射器プランジャ９０ａを注射器プランジャ９０ａの対応するラムカプラ７６に結合する。ハンドル１０６ａを別の位置に動かすことは、少なくともおよそ上方に注射器８６ａを動かし／平行移動させ（フェースプレート１０２ａに対して）、注射器８６ａの注射器プランジャ９０ａの結合を注射器プランジャ９０ａの対応するラムカプラ７６から外す。
【００３７】
注射器８６ｂは、中間フェースプレート１０２ｂを介してパワーヘッド５０と相互に接続される。マウンティング８２ｂは、フェースプレート１０２ｂとインタフェースするためにパワーヘッド５０に配置され、パワーヘッド５０に対して固定される。注射器８６ｂのための注射器プランジャ駆動アセンブリ５６の各部分であるラム７４のラムカプラ７６は、パワーヘッド５０に取り付けられるとき、フェースプレート１０２ｂの近くに位置を決められる。注射器プランジャ駆動アセンブリ５６に関する詳細は再び、図２Ｃに関係してより詳細に以下に論議される。概して、ラムカプラ７６は、注射器８６ｂの注射器プランジャ９０ｂに結合され得、ラムカプラ７６およびラム７４は次いで、パワーヘッド５０に対して動かされ得、軸１００ｂ（図２Ａ）に沿って注射器プランジャ９０ｂを動かし得る。ラムカプラ７６が、注射器プランジャ９０ｂを動かし、注射器８６ｂのノズル８９ｂを通って流体を排出するとき、注射器プランジャ９０ｂと係合するが、実際には結合しないようにあり得る。
【００３８】
フェースプレート１０２ｂは、少なくともおよそ、軸１００ａ、１００ｂに直交する平面内において動かされ得（それぞれ、注射器プランジャ９０ａ、９０ｂの動きに関連し、図２Ａに例示される）、軸１００ａ、１００ｂの両方とも、パワーヘッド５０のフェースプレート１０２ｂのマウンティング８２ｂにフェースプレート１０２ｂを取り付け、パワーヘッド５０のフェースプレート１０２ｂのマウンティング８２ｂからフェースプレート１０２ｂを取り外し得る。フェースプレート１０２ｂはまた、パワーヘッド５０の注射器プランジャ９０ｂの対応するラムカプラ７６に注射器プランジャ９０ｂを結合するために用いられ得る。この点において、フェースプレート１０２ｂは、ハンドル１０６ｂを含み得る。概して、そして注射器８６ｂがフェースプレート１０２ｂ内に最初に位置を決められると、注射器８６ｂは注射器８６ｂの長軸１００ｂ（図２Ａ）に沿ってかつフェースプレート１０２ｂに対して回転させられ得る。この回転は、ハンドル１０６ｂを動かすことによってか、注射器８６ｂを掴んで、注射器８６ｂを回すことによってか、またはその両方によって、達成され得る。いずれの場合においても、この回転は、少なくともおよそ、軸１００ａ、１００ｂに直交する平面内に注射器８６ｂおよびフェースプレート１０２ｂの両方を動かし／平行移動させる（それぞれ、注射器プランジャ９０ａ、９０ｂの動きに関連し、図２Ａに例示される）。注射器８６ｂを一方向に動かすことは、少なくともおよそ下方に注射器８６ｂおよびフェースプレート１０２ｂを動かし／平行移動させ、注射器プランジャ９０ｂを注射器プランジャ９０ｂの対応するラムカプラ７６に結合する。注射器８６ｂを反対の方向に動かすことは、少なくともおよそ上方に注射器８６ｂおよびフェースプレート１０２ｂを動かし／平行移動させ、注射器８６ｂの注射器プランジャ９０ｂの結合を注射器プランジャ９０ｂの対応するラムカプラ７６から外す。
【００３９】
図２Ｂに例示されるように、注射器プランジャ９０ｂは、プランジャ本体９２と注射器プランジャカプラ９４とを含む。この注射器プランジャカプラ９４はシャフト９８を含み、シャフト９８はプランジャ本体９２から間隔を空けて置かれたヘッド９６と共にプランジャ本体９２から延びる。ラムカプラ７６の各々は、ラムカプラ７６のフェース上の小さい方のスロットの後ろに位置を決められる大きい方のスロットを含む。注射器プランジャカプラ９４のヘッド９６は、ラムカプラ７６の大きい方のスロット内に位置を決められ得、注射器プランジャ９０ｂおよび注射器プランジャ９０ｂの対応するラムカプラ７６が結合状態または結合条件にあるとき、注射器プランジャカプラ９４のシャフト９８はラムカプラ７６のフェース上の小さい方のスロットを通って延び得る。注射器プランジャ９０ａは、注射器プランジャカプラ９４の対応するラムカプラ７６とインタフェースするために類似する注射器プランジャカプラ９４を含み得る。
【００４０】
パワーヘッド５０は、パワーインゼクタ４０の場合に注射器８６ａ、８６ｂから流体を排出するために利用される。すなわち、パワーヘッド５０は、注射器８６ａ、８６ｂの各々から流体を排出する推進力を提供する。注射器プランジャ駆動アセンブリまたは注射器プランジャドライバとして特徴づけられ得るものの一実施形態が、図２Ｃに例示され、参照数字５６によって識別され、そして注射器８６ａ、８６ｂの各々から流体を排出するパワーヘッド５０によって利用され得る。別個の注射器プランジャ駆動アセンブリ５６は、注射器８６ａ、８６ｂの各々のためにパワーヘッド５０の中に組み込まれ得る。この点において、そして図２Ａ〜図２Ｂに戻り参照すると、パワーヘッド５０は、注射器プランジャ駆動アセンブリ５６の各々を別々に制御する際に用いられる手動ノブ８０ａと８０ｂとを含み得る。
【００４１】
最初にそして図２Ｃの注射器プランジャ駆動アセンブリ５６に関係して、注射器プランジャ駆動アセンブリ５６の個々の構成要素の各々は、任意の適切なサイズ、形状、構成および／またはタイプであり得る。注射器プランジャ駆動アセンブリ５６は、出力シャフト６０を有するモータ５８を含む。駆動ギア６２は、モータ５８の出力シャフト６０に取り付けられ、モータ５８の出力シャフト６０と共に回転する。駆動ギア６２は、被駆動ギア６４と係合するか、または少なくとも係合可能である。この被駆動ギア６４は、駆動ねじまたはシャフト６６に取り付けられ、駆動ねじまたはシャフト６６と共に回転する。駆動ねじ６６が周りを回転する軸は、参照数字６８によって識別される。１つもしくはそれより多いベアリング７２は、駆動ねじ６６を適切に支持する。
【００４２】
キャリッジまたはラム７４は、駆動ねじ６６に可動に取り付けられる。概して、一方向の駆動ねじ６６の回転は、対応する注射器８６ａ／ｂの方向に駆動ねじ６６に沿って（そしてそれによって軸６８に沿って）ラム７４を軸方向に前進させ、一方、反対方向の駆動ねじ６６の回転は、対応する注射器８６ａ／ｂから離れるように駆動ねじ６６に沿って（そしてそれによって軸６８に沿って）ラム７４を軸方向に前進させる。この点において、駆動ねじ６６の少なくとも一部の周囲は、ラム７４の少なくとも一部とインタフェースするらせん状のねじ切り７０を含む。ラム７４はまた、駆動ねじ６６の回転中にラム７４が回転しないようにする適切なブッシング７８内に可動に取り付けられる。従って、駆動ねじ６６の回転は、駆動ねじ６６の回転方向によって決定される方向にラム７４の軸方向の動きを提供する。
【００４３】
ラム７４はカプラ７６を含み、カプラ７６は対応する注射器８６ａ／ｂの注射器プランジャ９０ａ／ｂの注射器プランジャカプラ９４に分離可能に結合され得る。ラムカプラ７６と注射器プランジャカプラ９４とが適切に結合されているとき、注射器プランジャ９０ａ／ｂは、ラム７４と共に動く。図２Ｃは、注射器８６ａ／ｂがラム７４に結合されることなく、注射器８６ａ／ｂの対応する軸１００ａ／ｂに沿って動かされ得る構成を例示する。注射器プランジャ９０ａ／ｂのヘッド９６がラムカプラ７６に整列させられるが、軸６８がなおも図２Ｃのずれた構成であるように、注射器８６ａ／ｂが注射器８６ａ／ｂの対応する軸１００ａ／ｂに沿って移動されるとき、注射器８６ａ／ｂは、ラム７４が沿って動く軸６８に直交する平面内において平行移動され得る。このことは、上記の方法でラムカプラ７６と注射器プランジャカプラ９６との間の結合された係合を確立する。
【００４４】
図１および図２Ａ〜図２Ｃのパワーインゼクタ１０、４０の各々は、流体が被験体（例えば、患者）の中に注入される医療撮像用途を含むがこれに限定されない任意の適切な用途に用いられ得る。パワーインゼクタ１０、４０の代表的な医療撮像用途は、コンピュータ断層撮影法またはＣＴ撮影法と、磁気共鳴映像またはＭＲＩと、ＳＰＥＣＴ撮影法と、ＰＥＴ撮影法と、Ｘ線撮影法と、血管撮影法と、光学撮影法と、超音波撮影法とを含むがこれらに限定されない。パワーインゼクタ１０、４０の各々は、単独でまたは１つ以上の他の構成要素と組み合わせて用いられ得る。パワーインゼクタ１０、４０の各々は、１つもしくはそれより多い構成要素に動作可能に相互に接続され得、その結果、例えばパワーインゼクタ１０、４０と１つもしくはそれより多い他の構成要素との間で情報が伝えられ得る（例えば、走査遅延情報、注入開始信号、注入速度）。
【００４５】
シングルヘッド構成（１つの注射器用）とデュアルヘッド構成（２つの注射器用）とを含むがこれらに限定されない任意の数の注射器がパワーインゼクタ１０、４０の各々によって利用され得る。複数の注射器構成の場合、各パワーインゼクタ１０、４０は、任意の適切な方法でそして任意のタイミング順序に従って様々な注射器から流体を排出し得る（例えば、２つもしくはそれ以上の注射器からの順次排出、２つもしくはそれ以上の注射器からの同時排出、またはこれらの任意の組み合わせ）。パワーインゼクタ１０、４０の各々によって利用される各々のそのような注射器は、例えば造影剤、放射性医薬品、食塩水、およびこれらの任意の組み合わせなどの任意の適切な流体を含み得る。パワーインゼクタ１０、４０の各々によって利用される各々のそのような注射器は、任意の適切な方法で取り付けられ得る（例えば、後部充填構成が利用され得るし、前部充填構成が利用され得るし、側部充填構成が利用され得る）。
【００４６】
図３は、図１のパワーインゼクタ１０と図２Ａ〜図２Ｃのパワーインゼクタ４０とを含むがこれらに限定されない任意の適切なパワーインゼクタによって利用され得るパワーインゼクタ制御システム１２０の一実施形態を例示する。パワーインゼクタ制御システム１２０は、任意の適切な構成および／またはタイプの１つもしくはそれより多いデータ入力デバイス１２２（例えば、キーボード、マウス、タッチスクリーンディスプレイ）を含み得る。これらのデータ入力デバイス１２２のうちの１つもしくはそれ以上は、パワー制御インゼクタモジュールまたはインゼクタ制御論理１２４と動作可能に相互に接続され得る。パワーインゼクタ制御論理１２４は、例えば、ソフトウェア、ハードウェア、ファームウェアおよびこれらの任意の組み合わせである任意の適切な形態および／または構成であり得る。少なくとも１つのグラフィカルユーザインタフェース１３６（例えば、パワーインゼクタ１０のグラフィカルユーザインタフェース１１）は、パワーインゼクタ制御論理１２４と動作可能に相互に接続され、適切な出力を（例えば、対応するパワーインゼクタのオペレータに）提示し得る。
【００４７】
パワーインゼクタ制御論理１２４は、少なくとも１つの流体送達プロトコルまたは流体注入プロトコル１２６（例えば、医療用途用で、この用途は医療流体送達処理または医療流体送達手術と呼ばれ得る）と状態メッセージングプロトコル１４０とを含むように構成され、これらのプロトコルの各々は、プログラムされたシーケンスの形態であり得る。医療流体用途に関してプロトコル１２６は、医療流体送達プロトコル１２６と呼ばれ得る。各流体送達プロトコル１２６は、１つもしくはそれより多い流体が患者の中に注入されることによるなど流体目標に送達される方法を制御するように構成され得る。特定の流体送達プロトコル１２６は、プログラムされた量の第１の流体をプログラムされた流量で送達し、かつプログラムされた量の第２の流体をプログラムされた流量で送達するように構成され得る。第１および第２の流体の各々の送達は、位相として特徴づけられ得る。１つもしくはそれより多い位相は、第１および第２の流体の各々のために利用され得る。一実施形態において、第１の流体は造影剤であり、第２の流体は食塩水である。状態メッセージングプロトコル１４０は、より詳細に以下に論議されるが、概して、流体送達プロトコル１２６の実行に関係して（例えば、パワーインゼクタの状態に関するなどの）状態情報を提供するように構成される。
【００４８】
図３のパワーインゼクタ制御論理１２４は、所望／必要に応じ１つもしくはそれより多い追加のプロトコルを含み得、該プロトコルの各々は、プログラムされたシーケンスの形態であり得る。少なくとも１つの流体送達プロトコル１２６および状態メッセージングプロトコル１４０の他に、所望／必要に応じパワーインゼクタ制御論理１２４によって利用され得る代表的なプロトコルは、ＯｐｔｉＢｏｌｕｓ（登録商標）プロトコル１２８と、Ｔｉｍｉｎｇ  Ｂｏｌｕｓ（登録商標）１３０と、ドリップモードプロトコル１３２とを含むが、これらに限定されない。概して、ＯｐｔｉＢｏｌｕｓ（登録商標）プロトコル１２８は、造影剤の使用を最適化しかつ対象とする部位の均一な拡張の期間の延長を提供する、幾何級数的に減衰する流量注入を送達するように構成され得る。Ｔｉｍｉｎｇ  Ｂｏｌｕｓ（登録商標）注入プロトコル１３０は、対象とする部位において造影剤を捕捉するのに必要とされる最適な走査遅延を決定する目的のために、タイミングボーラス（ｔｉｍｉｎｇ  ｂｏｌｕｓ）注入、すなわち、少量の造影剤、それに続いて少量の食塩水を患者に提供するように構成され得る。ドリップモードプロトコル１３２は、ドリップ注入、すなわち患者に送達される少量の食塩水の低流量の注入を提供し、パワーインゼクタから患者への流体経路を開放したままにし得る。
【００４９】
状態メッセージングプロトコル１４０の一実施形態は、図４に例示され、図３の制御論理１２４によって用いられ得、任意の適切なパワーインゼクタによって用いられ得る。状態メッセージングプロトコル１４０は、パワーインゼクタの状態を決定する（ステップ１４２）。この状態は、例えば、様々なセンサ、フィードバックループ、スイッチ、または類似のものによる任意の適切な方法で決定され得る。パワーインゼクタの状態は、ステップ１４４に従って（例えば、パワーインゼクタに関連する１つもしくはそれより多いグラフィカルユーザインタフェース上に）表示される。インゼクタ状態情報は、任意の適切な方法で、任意の適切な位置または複数の位置の組み合わせに伝えられ得る。例えば、インゼクタ状態情報は、テキストで、図表で、またはこれらの組み合わせによって伝えられ得る。一実施形態において、インゼクタ状態情報は、（例えば、パワーヘッド上、リモートコンソール上の）パワーインゼクタに関連するグラフィカルユーザインタフェース上に表示される。
【００５０】
インゼクタ状態は、図４の状態メッセージングプロトコル１４０に従って、任意の適切なベースで（例えば、定期的に）更新され得る。例示される実施形態において、パワーインゼクタが「電源オフ」の条件または状態でない限り（ステップ１４６）、インゼクタ状態は決定され（１４２）、表示される（１４４）。すなわち、パワーインゼクタの電源をオフにすることは、状態メッセージングプロトコル１４０を終了させるために用いられ得る（ステップ１４８）。
【００５１】
図４の状態メッセージングプロトコル１４０は、任意の適切な方法で実装され得る。インゼクタ状態（ステップ１４２）は、パワーインゼクタに関連するグラフィカルユーザインタフェースに提示される少なくとも１つの画面（例えば、セットアップ画面）上に絶えず表示されるかまたは常時表示され得（ステップ１４４）、流体送達プロトコル１２６の実行時にパワーインゼクタのグラフィカルユーザインタフェース上に提示される各画面上に絶えず表示されるかまたは常時表示され（例えば、ステップ１４４）インゼクタ状態を有すること（ステップ１４２）を含むが、これに限定されない（図３）。インゼクタ状態情報（ステップ１４２）は、パワーインゼクタに関連するグラフィカルユーザインタフェース上に各々提示される複数の画面上の共通の位置に表示され得（ステップ１４４）、時間的に間隔のあいた複数のインゼクタ状態メッセージが、パワーインゼクタに関連するグラフィカルユーザインタフェース上に提示される特定の画面（例えば、セットアップ画面）上の同じ位置に表示されることを含むが、これに限定されない。
【００５２】
図４の状態メッセージングプロトコル１４０のステップ１４４に従う１つもしくはそれより多い状態メッセージの表示は、１つもしくはそれより多い方法でインゼクタ状態情報を伝え得る。例えば、インゼクタ状態情報を伝えるために、特定の状態メッセージを組み合わせて（例えば、テキストで、図表で、テキストと図表の両方で）、色が用いられ得る。一実施形態において、１つの色（例えば、白または緑）が正常状態の存在を示すために少なくとも１つの状態メッセージと組み合わせて用いられ得、別の色（例えば、黄）が警告状態の存在を示すために少なくとも１つの状態メッセージと組み合わせて用いられ得、一方、さらに別の色（例えば、赤）がエラー状態の存在を示すために少なくとも１つの状態メッセージと組み合わせて用いられ得る。状態メッセージの色自体は色ベースの状態情報を提供するために変更され得るが、一実施形態において、状態メッセージの色は色ベースの状態情報を提供するために用いられる背景（そこに状態メッセージが提示される）の色である。
【００５３】
セットアップ画面の一実施形態は、図５に例示され、参照数字２３０によって識別される。セットアップ画面２３０は任意のパワーインゼクタ構成と共に使用するように適合され得るが、セットアップ画面２３０は、流体送達プロトコル１２６を実行している、図１のパワーインゼクタ（図３）に関係して本明細書に説明される。このセットアップ画面２３０は、図１のパワーインゼクタ１０のためのグラフィカルユーザインタフェース１１上に提示され得る。セットアップ画面２３０は、（１つはパワーインゼクタ１０のＡ側を画定し、もう１つはパワーインゼクタ１０のＢ側を画定する）一対の注射器２８を利用するデュアルヘッド構成である、図１のパワーインゼクタ１０の場合である。Ａ側およびＢ側の各々は、任意の適切な流体（例えば、造影剤、放射性医薬品、食塩水、およびこれらの任意の組み合わせ）を含み得る。さらに、セットアップ画面２３０は、パワーインゼクタ１０のＡ側に２つの局面、そしてパワーインゼクタ１０のＢ側に単一の局面を提供するように構成される。任意の数の局面がパワーインゼクタ１０のＡ側およびＢ側の各々によって利用され得、セットアップ画面２３０はそれに従って構成され得る。図５のパワーインゼクタ制御論理１２４は、複数のセットアップ画面２３０を格納するように構成され得、複数のセットアップ画面の各々はパワーインゼクタ１０のＡ側およびＢ側のための局面の異なる組み合わせを用い得る。
【００５４】
図５のセットアップ画面２３０は、図４の状態メッセージングプロトコル１４０を実行するかまたは実装するように構成される。この点において、セットアップ画面２３０は、少なくとも１つの状態メッセージ２６８が表示される、状態メッセージの領域、セグメント、またはゾーン２６６を含む。そのような状態メッセージ２６８の各々は、任意の適切な形態であり得る。例示される実施形態において、状態メッセージ２６８は、４つのアイコンであって、その各々が図表の状態メッセージ２７２を提供することとして特徴づけられ得るアイコンと共に、テキストの状態メッセージ２７０を含む。例示される実施形態において、１）「ＰＣ」アイコンまたは図表の状態メッセージ２７２は「開存性チェック注入」を表し、２）「ＤＭ」アイコンまたは図表の状態メッセージ２７２は「ドリップモード注入」を表し、３）「ＴＢ」アイコンまたは図表の状態メッセージ２７２は「タイミングボーラス注入」を表し、そして４）「ＯＢ」アイコンまたは図表状態メッセージ２７２は「ＯｐｔｉＢｏｌｕｓ注入」を表す。任意の数のアイコンが状態メッセージゾーン２６６に提示され得、アイコンと、流体送達プロトコル１２６の１つもしくはそれより多いタスク／局面とを関連づける任意の方法（例えば、示されるような略語、アイコンの形状による）が利用され得る。状態情報を提示するためにアイコンが利用され得る方法は、図６に関係して以下により詳細に論議される。
【００５５】
セットアップ画面２３０はまた、状態履歴ボタン２７４を含む。状態履歴ボタン２７４を選択することによって、状態メッセージゾーン２６６に以前に現れた、少なくとも特定の数の直近の状態メッセージ２６８が表示され、一実施形態において、現在実行されている流体送達プロトコル１２６のため、直近の流体送達プロトコル１２６のため、またはその両方のための状態メッセージゾーン２６６に現れたすべての状態メッセージ２６８が表示される。このタイプの特徴は、図８に関係して以下により詳細に検討される。
【００５６】
一実施形態において、少なくとも１つの状態メッセージ２６８は、図５に描かれるセットアップ画面２３０の状態メッセージゾーン２６６に絶えず表示されるかまたは常時表示される。このことは、もちろん、同じ状態メッセージ２６８が絶えず表示されることすなわち、単に状態情報が状態メッセージゾーン２６６に絶え間なく現れることを必要としない。一実施形態において、様々な異なる状態メッセージ２６８は、パワーインゼクタ１０の状態が流体送達プロトコル１２６を実行する目的のために変化すると、時間の経過によりセットアップ画面２３０の状態メッセージゾーン２６６に表示される（例えば、複数の異なる状態メッセージ２６８はセットアップ画面２３０上の共通の位置に表示され、この場合、そのような状態メッセージ２６８の各々は異なる時点で現れる）。一実施形態において、少なくとも１つの状態メッセージ２６８は、図５に描かれるセットアップ画面２３０の状態メッセージゾーン２６６に絶えず表示されるかまたは常時表示され、様々な異なる状態メッセージ２６８は、パワーインゼクタ１０の状態が流体送達プロトコル１２６を実行する目的のために変化すると、時間の経過によりセットアップ画面２３０の状態メッセージゾーン２６６に表示される（例えば、複数の異なる状態メッセージ２６８はセットアップ画面２３０上の共通の位置に表示され、この場合、そのような状態メッセージ２６８の各々は異なる時点で現れる）。
【００５７】
図５からのセットアップ画面２３０は、パワーインゼクタグラフィカルユーザインタフェース１１上の様々な他のシステム画面にアクセスする様々なボタンを含み得、該様々なボタンは、メモリボタン２５４（例えば、格納されている注入または流体送達プロトコル１２６にアクセスする）と、注入モードボタン２５６（例えば、複数の注入モードから選択し、各注入モードは、Ａ側に対して少なくとも１つの局面とＢ側に対して少なくとも１つの局面とを有する）と、結果ボタン２５８（例えば、注入処置または流体送達プロトコル１２６の結果を表示する）とを含む。セットアップ画面２３０はまた、流体送達プロトコル１２６に関係する様々なパラメータを表示し、入力し、かつ／または編集することに適応する。セットアップ画面２３０は以下のものを含む。すなわち、１）セットアップ画面２３０に提示される選択されたパラメータのための値を表示／変更するスライドバー２３２と、２）セットアップ画面２３０に提示される選択されたパラメータの値のより洗練された調整を提供する調整矢印２３４と、３）パワーインゼクタ１０のＡ側からの造影剤または他の流体の送達の所望の速度を表示し、入力し、かつ／または編集することに適応する一対のプログラムされた／目標の流量セグメント２３６（２つの局面の各々に対して１つの局面）および、パワーインゼクタ１０のＢ側からの食塩水または他の流体の送達の所望の速度を表示し、入力し、かつ／または編集することに適応する別のプログラムされた／目標の流量セグメント２３６と、４）パワーインゼクタ１０のＡ側およびＢ側の各々に対して注射器２８から注入されるべき所望の量を表示し、入力し、かつ／または編集することに適応する注入量セグメント２３８と、５）パワーインゼクタ１０のＡ側およびＢ側の各々に対して注射器２８に残っている予測量を描く残量インジケータ２６４と、６）オペレータがパワーインゼクタ１０と組み合わせて用いられるスキャナを正確に遅延させ得るように、注入または流体送達の開始からカウントダウンされる時間を描く走査遅延インジケータ２４０と、７）パワーインゼクタ１０のＡ側における注射器２８のための圧力限界セグメント２４２と、８）パワーインジケータ１０のＡ側およびＢ側の各々のための最大量インジケータ２４４であって、関連する注射器２８において現在利用可能な量を示し、注入または流体送達処置に対して必要とされる量が関連する注射器２８における利用可能な量を超えた場合に点滅し得る、最大量インジケータと、９）パワーインゼクタ１０のためのドリップモード機能にアクセスするドリップモードボタンまたはキー２４６（例えば、患者への流体経路を開放条件に保つために患者に送達される少量の流体（例えば、食塩）の低流量注入である「ドリップ注入」）と、１０）パワーインジケータ１０のＡ側およびＢ側の各々のための一対の注射器サイズインジケータ２４８と、１１）プロトコル識別子２５０（例えば、パワーインゼクタ１０を動作させるために用いられる注入または流体送達プロトコルを識別する）とである。キーボード、マウス、および／またはタッチスクリーンディスプレイ上にセットアップ画面２３０を提示することによるなど任意のデータ入力デバイスが用いられ得、所望の／必要な情報を入力し、かつ／または図５のセットアップ画面２３０上において所望の選択を行う。最後にセットアップ画面２３０は、（例えば、注入処置または流体送達プロトコル１２６を開始する）開始ボタン２６０を含む。
【００５８】
４つのアイコンまたは図表の状態メッセージ２７２は、図５のセットアップ画面２３０のための例示された実施形態における状態メッセージゾーン２６６に現れる。アイコンまたは図表の状態メッセージ２７２がインゼクタ状態情報を伝えるために利用され得る代表的な方法は、図６に例示される。概して、各アイコンまたは図表の状態メッセージ２７２がインゼクタ状態情報を伝えるために複数の異なる状態（例えば、各アイコン／図表の状態メッセージ２７２に対して２つもしくはそれ以上の異なる状態）のうちの任意の１つに提示され得る。
【００５９】
図６の部分（ａ）におけるアイコンまたは図表の状態メッセージ２７２は「薄い灰色で表示され（ｇｒａｙｅｄ  ｏｕｔ）」、これは、アイコンに関連する単数もしくは複数のタスクに対して非活動状態である（例えば、関連する単数もしくは複数のタスクが現在実行されていない）ことを示し得る。図６の部分（ｂ）におけるアイコンまたは図表の状態メッセージ２７２は「オン」であり、これは、アイコンに関連する単数もしくは複数のタスクに対して活動状態である（例えば、関連する単数もしくは複数のタスクが現在実行されている）ことを示し得る。図６の部分（ｃ）におけるアイコンまたは図表の状態メッセージ２７２は「チェックマーク」を含み、これは、アイコンに関連する単数もしくは複数のタスクが完了したことを示し得る。最後に図６の部分（ｄ）におけるアイコンまたは図表の状態メッセージ２７２は「線を引いて削除され（ｃｒｏｓｓｅｄ−ｏｕｔ）」、これは、関連する単数もしくは複数のタスクが早まって終了させられたか、関連する単数もしくは複数のタスクの実行中のエラーか、またはその両方であることを示し得る。各アイコンまたは図表の状態メッセージ２７２は、同じ数の状態を利用し得るが、そのようなことは必ずしもすべての事例において必要とされるわけでない（例えば、開存性チェックのためのアイコンまたは図表の状態メッセージ２７２は１つの数の状態を利用し得、一方、ドリップモード注入に対するアイコンまたは状態メッセージは異なる数の状態を利用し得る）。
【００６０】
図７は、図５のセットアップ画面２３０の変形を提示し、それによって「シングルプライム」符号を利用する。図７のセットアップ画面２３０’は、図５のセットアップ画面２３０と比較して、状態メッセージのリスティングを提示するために異なる方法を利用する。この点において、図７のセットアップ画面２３０’はドロップダウンメニューボタン２９０を含む。ドロップダウンメニューボタン２９０を選択するかまたは起動することによって、ドロップダウンメニューウィンドウ３００が現れ、これは図８に例示される。
【００６１】
図８のドロップダウンメニューウィンドウ３００は、複数の状態メッセージ２６８、すなわち、現在の状態メッセージ２６８および以前に表示された１つもしくはそれより多い状態メッセージを含む。ドロップダウンメニューウィンドウ３００に例示される状態メッセージ２６８の各々はテキストの状態メッセージの形態であるが、各状態メッセージ２６８は任意の適切なタイプまたは形態であり得る。任意の適切な数の状態メッセージ２６８が、ドロップダウンメニューウィンドウ３００に提示され得る。一実施形態において、現在または直近の流体送達プロトコル１２６（例えば、現在実行されている流体送達処置）の実行中に生成されかつ表示された各状態メッセージ２６８は、ドロップダウンメニューウィンドウ３００に提示され得る。スクロールバーまたは類似のものは、全体のリスティングを概観するために、所望／必要に応じ利用され得る。状態メッセージ２６８はドロップダウンメニューウィンドウ３００に任意の適切な順序（例えば、入力順）でリスティングされ得るが、一実施形態において、状態メッセージ２６８は逆入力順で提示される。
【００６２】
図８に示される状態メッセージ２６８が代表的であることは理解されるべきである。図８に示される状態メッセージ２６８の必ずしもすべてが利用される必要があるとは限らないか、１つもしくはそれより多い他の状態メッセージ２６８が利用され得るか、またはその両方であり得る。例えば、１つもしくはそれより多い状態メッセージ２６８は、パワーインゼクタが故障したこと、注入が行われなかったこと、「注射器プランジャドライバを「定位置」に戻す動作」が行われていること、およびパワーインゼクタが１つもしくはそれより多い注射器を取り付ける準備が完了していることを示すために利用され得る。
【００６３】
インゼクタ状態情報は、図５および図７のそれぞれのセットアップ画面２３０、２３０’に関係して上記のように提示され得る。インゼクタ状態情報は、パワーインゼクタグラフィカルユーザインタフェース上に提示される任意の適切な数の画面上に提示され得る。図９は、流体送達処置（例えば、流体送達プロトコル１２６）の実行中にパワーインゼクタグラフィカルユーザインタフェース上に提示され得、進行画面３１０の形態である別の代表的な画面である。進行画面３１０は、上記の状態メッセージゾーン２６６を含み、上記の論議の全体が同様に依然として適用可能である。一実施形態において、状態メッセージゾーン２６６は、セットアップ画面２３０、２３０’の場合のように進行画面３１０の同じ位置に現れる。一実施形態において、状態メッセージゾーン２６６は流体送達処置（例えば、流体送達プロトコル１２６）の実行に関係するパワーインゼクタグラフィカルユーザインタフェース上に提示される各画面に現れ、状態メッセージゾーンはこれらの画面の各々の共通の位置に現れる。
【００６４】
図９の進行画面３１０は、（１つはパワーインゼクタ１０のＡ側を画定し、もう１つはパワーインゼクタ１０のＢ側を画定する）一対の注射器２８を利用するデュアルヘッド構成である、図１のパワーインゼクタ１０の場合である。さらに進行画面は、パワーインゼクタ１０のＡ側に２つの局面、そしてパワーインゼクタ１０のＢ側に単一の局面を提供するように構成される。任意の数の局面がパワーインゼクタ１０のＡ側およびＢ側の各々によって利用され得、進行画面３１０はそれに従って構成され得る。
【００６５】
図９の進行画面３１０は、概して注入処置の進行、またはパワーインゼクタ１０によって現在実行されている流体送達プロトコル１２６の実行を表示する。任意の適切な方法で選択／起動され得る様々ボタンまたはキーは、進行画面３１０に含まれ得、（例えば、パワーインゼクタ１０の動作を停止、またはより詳細にはパワーインゼクタ１０からの流体の送達を停止する）停止ボタン３１２を含む、任意の適切な機能または複数の機能の組み合わせを提供し得る。進行画面３１０はまた以下のものを含む。すなわち、１）パワーインゼクタ１０のＡ側およびＢ側の各々のためにあり、流体が対応する側から送達された時を示すために光り得る注入インジケータ３１４と、２）パワーインゼクタ１０のＡ側およびＢ側の各々のためにあり、関連する注射器２８に残っている量を示す残量インジケータ３１６と、３）パワーインゼクタ１０のＡ側において流体送達プロトコル１２６によって利用される２つの位相の各々に対するプログラムされた／目標の流量インジケータ３１８およびパワーインジケータ１０のＢ側に対するプログラムされた／目標の流量インジケータ３１８であって、プログラムされた／目標の流量インジケータ３１８の各々は、パワーインゼクタ１０によって現在実行されている流体送達プロトコル１２６のための対応するプログラムされた／目標の流量を表示する、プログラムされた／目標の流量インジケータ３１８と、４）パワーインゼクタ１０のＡ側において流体送達プロトコル１２６によって利用される２つの位相の各々に対するプログラムされた量インジケータ３２０およびパワーインジケータ１０のＢ側に対するプログラムされた量インジケータ３２０であって、量インジケータ３２０の各々は、パワーインゼクタ１０によって現在実行されている流体送達プロトコル１２６のための対応するプログラムされた量を表示する、プログラムされた量インジケータ３２０と、５）流体送達プロトコル１２６の開始から経過した時間を描く時間経過インジケータ３２２と、６）パワーインゼクタ１０と組み合わせて用いられるスキャナをオペレータが正確に遅延させ得るように、注入の開始からカウントダウンされた時間を描く走査遅延インジケータ３２４と、７）現在の圧力および設定済圧力限界値を示し得る（垂直線は設定済圧力限界値を表し、水平線は現在の圧力を表す）圧力インジケータ３２６とである。
【００６６】
状態メッセージゾーン２６６の変形は、図１０に例示され、参照数字２６６’によって識別され、上記に論議されたメッセージ状態ゾーン２６６の各々の代わりに用いられ得る。状態メッセージゾーン２６６’は、少なくとも１つのインゼクタ状態メッセージ２６８を含む他に、行うべき次の動作メッセージ３５０を提示する。従って、オペレータまたはユーザは、パワーインゼクタの現在の状態についての情報を（状態メッセージ２６８によって）受信するのみならず、流体送達プロトコル１２６の実行に関係してオペレータが行うことが要求され得る次の動作も通知される。状態履歴ボタン２７４（図５）およびドロップダウンメニューウィンドウ３００（図７〜図８）に関係して上記に論議された状態メッセージ履歴機能は、状態メッセージゾーン２６６’に関係して同様に利用され得る。
【００６７】
本発明の前述の説明は、例示および説明の目的のために提示された。さらに、本説明は本明細書に開示された形態に本発明を限定することは意図されない。従って、上記教示と同等の変形および修正ならびに関連技術の技能および知識は、本発明の範囲内である。本明細書において上記に説明された実施形態は、本発明を実施する、既知の最良の方式を説明し、他の当業者がそのようなまたは他の実施形態において、そして本発明の特定の用途または使用法によって必要とされる様々な修正によって、本発明を利用することを可能にすることがさらに意図される。添付の特許請求の範囲が先行技術によって許容される程度まで代替の実施形態を含むように解釈されることが意図される。
【図１】
2015013190.tif 000003
【図２Ａ】
2015013190.tif 000004
【図２Ｂ】
2015013190.tif 000005
【図２Ｃ】
2015013190.tif 000006
【図３】
2015013190.tif 000007
【図４】
2015013190.tif 000008
【図５】
2015013190.tif 000009
【図６】
2015013190.tif 000010
【図７】
2015013190.tif 000011
【図８】
2015013190.tif 000012
【図９】
2015013190.tif 000013
【図１０】
2015013190.tif 000014
【外国語明細書】
2015013190000001.pdf